(57)【特許請求の範囲】
【請求項１】
第１の照明光を発する第１の光源と、
第２の照明光を発する第２の光源と、
第３の照明光を発する第３の光源と、
第４の照明光を発する第４の光源と、
前記第１〜第４の照明光を被照明部材へと導くための導光部材とを備え、
前記導光部材は、
円環状に形成された本体部と、
前記本体部の所定領域に前記第１、第２の照明光を導入するように前記本体部の外方に延在する一対の第１の光導入部と、
前記所定領域を除いた前記本体部の他の領域に前記第３、第４の照明光を導入するように前記本体部の外方に延在する一対の第２の光導入部とを有し、
前記第１の光導入部は、連結部を介して前記第２の光導入部と連結されていることを特徴とする照明装置。
【請求項２】
第１の照明光を発する第１の光源と、
第２の照明光を発する第２の光源と、
第３の照明光を発する第３の光源と、
第４の照明光を発する第４の光源と、
前記第１〜第４の照明光を被照明部材へと導くための導光部材とを備え、
前記導光部材は、
円環状に形成された本体部と、
前記本体部の所定領域に前記第１、第２の照明光を導入するように前記本体部の外方に延在する一対の第１の光導入部と、
前記所定領域を除いた前記本体部の他の領域に前記第３、第４の照明光を導入するように前記本体部の外方に延在する一対の第２の光導入部とを有し、
前記本体部の背後側にケース体を配置するとともに前記本体部と前記ケース体との間に光拡散部材を設け、
前記ケース体は、暗色系または黒色系の樹脂材料によって形成され、
前記光拡散部材は、透明の基板の表面または背面に形成される光拡散層を有し、
前記他の領域に対応する前記光拡散層箇所には、前記光拡散層が部分的に形成されない基板露出部が設けられることを特徴とする照明装置。
【請求項３】
前記所定領域において、前記第１の照明光の光の進む向きは、前記第２の照明光の光の進む向きと逆方向であり、
前記他の領域において、前記第３の照明光の光の進む向きは、前記第４の照明光の光の進む向きと逆方向であることを特徴とする請求項１または請求項２記載の照明装置。
【発明の詳細な説明】
【技術分野】
【０００１】
本発明は、例えば車両用計器に備えられる被照明部材を照明するため照明装置に関するものである。
【背景技術】
【０００２】
従来より、この種の照明装置にあっては、例えば下記特許文献１に記載されているものが知られている。この特許文献１に記載の照明装置は、指針の作動範囲に沿うように円弧状に配列された目盛等の指標部（表示意匠部）を有する文字板（被照明部材）と、光源から発せられる光を文字板へ導くための馬蹄形状の導光部材とから主に構成され、光源からの光が導光部材を経て導光部材の真上に位置する文字板へと導かれることで、文字板の指標部が照明されるというものである。
【０００３】
この場合、導光部材は、その一部が途中で途切れている馬蹄状本体部と、馬蹄状導光部の中央外側に突出形成された突出部とを備え、この突出部には光源から発せられる光を受光する受光部と、受光部を通じて突出部内に導入された光を馬蹄状本体部へと導くためのＶ字状反射部とが形成されており、受光部及びＶ字状反射部を経て馬蹄状本体部へと導かれた光が馬蹄状本体部の光出射面から射出されることで、馬蹄状本体部（馬蹄状の光出射面）と重なるように設けられる文字板の指標部が照明される構成となっている。
【先行技術文献】
【特許文献】
【０００４】
【特許文献１】特開２００８−２６１７１７号公報
【発明の概要】
【発明が解決しようとする課題】
【０００５】
しかしながら、従来の照明装置の場合、光が文字板側に向けて射出される馬蹄状本体部は、その一部が途中で途切れている有端状となっているため、仮に文字板の指標部が全周に渡ってくまなく形成されているような場合、特許文献１に記載の馬蹄状本体部（馬蹄形状の導光部材）を採用すると、途中で途切れている馬蹄状本体部の空所部分の真上に位置する指標部箇所を照明することができない。
【０００６】
そして、特許文献１に記載の馬蹄形状の導光部材では光源からの照明光を受光する受光部が１箇所だけであるため、このような場合、当該受光部から遠くにある指標部箇所には光が届きにくくなる傾向にあるため、全周に渡ってくまなく形成される文字板（被照明部材）の指標部を均一に照明することが困難であるという問題があり、この点で更なる改良の余地が残されていた。
そこで本発明は、前述の課題に対して対処するため、導光部材を用いて被照明部材を照明するにあたって、被照明部材を均一に照明することが可能な照明装置の提供を目的とするものである。
【課題を解決するための手段】
【０００７】
本発明は、第１の照明光を発する第１の光源と、第２の照明光を発する第２の光源と、第３の照明光を発する第３の光源と、第４の照明光を発する第４の光源と、前記第１〜第４の照明光を被照明部材へと導くための導光部材とを備え、前記導光部材は、円環状に形成された本体部と、前記本体部の所定領域に前記第１、第２の照明光を導入するように前記本体部の外方に延在する一対の第１の光導入部と、前記所定領域を除いた前記本体部の他の領域に前記第３、第４の照明光を導入するように前記本体部の外方に延在する一対の第２の光導入部とを有し、前記第１の光導入部は、連結部を介して前記第２の光導入部と連結されていることを特徴とする。
【０００８】
また本発明は、第１の照明光を発する第１の光源と、第２の照明光を発する第２の光源と、第３の照明光を発する第３の光源と、第４の照明光を発する第４の光源と、前記第１〜第４の照明光を被照明部材へと導くための導光部材とを備え、前記導光部材は、円環状に形成された本体部と、前記本体部の所定領域に前記第１、第２の照明光を導入するように前記本体部の外方に延在する一対の第１の光導入部と、前記所定領域を除いた前記本体部の他の領域に前記第３、第４の照明光を導入するように前記本体部の外方に延在する一対の第２の光導入部とを有し、前記本体部の背後側にケース体を配置するとともに前記本体部と前記ケース体との間に光拡散部材を設け、前記ケース体は、暗色系または黒色系の樹脂材料によって形成され、前記光拡散部材は、透明の基板の表面または背面に形成される光拡散層を有し、前記他の領域に対応する前記光拡散層箇所には、前記光拡散層が部分的に形成されない基板露出部が設けられることを特徴とする。
【０００９】
また本発明は、前記所定領域において、前記第１の照明光の光の進む向きは、前記第２の照明光の光の進む向きと逆方向であり、前記他の領域において、前記第３の照明光の光の進む向きは、前記第４の照明光の光の進む向きと逆方向であることを特徴とする。
【発明の効果】
【００１１】
本発明によれば、初期の目的を達成でき、導光部材を用いて被照明部材を照明するにあたって、被照明部材を均一に照明することが可能な照明装置を提供できる。
【図面の簡単な説明】
【００１２】
【図１】本発明の実施形態による照明装置の正面図。
【図２】図１のＡ−Ａ断面図（ハッチングは省略）。
【図３】同実施形態による導光部材の正面図。
【図４】同実施形態による発光体と導光部材とを示す斜視図。
【図５】本発明の第２実施形態による照明装置の断面図（ハッチングは省略）。
【図６】同第２実施形態による反射部材の正面図。
【図７】同第２実施形態による図６のＢ−Ｂ断面における反射部材とケース体とを示す断面図。
【発明を実施するための形態】
【００１３】
（第１実施形態）以下、図１〜図４に基づいて、本発明を車両に搭載された回転計からなる車両用計器に適用した一実施形態を説明する。
【００１４】
図１、図２において、本実施形態による回転計は、回路基板１０と、この回路基板１０に導通装着され回転軸２０が前方に延びる駆動装置３０と、回転軸２０にて回転駆動される指針４０と、この指針４０の背後に位置して回路基板１０上に配置される被照明部材としての表示板５０と、指針４０を照明する指針用発光体６０と、表示板５０を照明する発光体７０と、この発光体７０から発せられる照明光を表示板５０へと導くための導光部材８０と、回路基板１０と表示板５０との間に配置されるケース体９０とを備えている。
【００１５】
回路基板１０は、例えばガラスエポキシ系基材に配線パターン（図示せず）が施された硬質の配線基板からなり、指針用発光体６０と、発光体７０と、駆動装置３０の駆動・制御を行う駆動手段（図示せず）と、抵抗、コンデンサ等の各種回路部品（図示せず）とが前記配線パターンに導通接続されている。
【００１６】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１７】
指針４０は、透光性の合成樹脂からなり、回転軸２０の先端に連結され、その回転中心部には遮光性カバーが装着されている。そして、この指針４０は指針用発光体６０からの光を受けて発光する発光式指針である。
【００１８】
表示板５０は、指針４０の回転軌道（作動範囲）に沿った円弧状の配列形状を有し指針４０によって指示される目盛や数字等からなる指標部５１と、この指標部５１の背景を形成する背景部５２とを有している。
【００１９】
これら指標部５１並びに背景部５２は、指標部５１が白色系の透光性インクにより、また背景部５２が黒色系の遮光性インクにより、それぞれ表示板５０の母材となる薄板状の透光性基材５３の表面にスクリーン印刷等の手段を用いて印刷形成される。
【００２０】
なお、ここでは、説明を簡略化するために、指標部５１としては図１に示すように目盛のみが図示されており、数字の図示は省略してある。さらに、この場合の指標部５１は、時計でたとえると６時を指す位置から３時を指す位置までの角度範囲（つまり２７０度の角度範囲）に渡って円弧状に配列されている。そして、回転計を視認する視認者は、指針４０と指標部５１との対比判読により、計測値（この場合、エンジン回転数）を容易に把握することができる。
【００２１】
また、５４は、エンジン回転数の単位を表す単位表示部であり、この単位表示部５４は、指針４０の作動範囲を避けた表示板５０箇所（つまり円弧状に配列された指標部５１の非形成領域）であって、表示板５０の右下（時計でたとえるとおおよそ５時の位置）に、指標部５１と同様に白色系の透光性インクにより印刷形成されている。なお、以下の説明では、表示板５０に形成された指標部５１と単位表示部５４とをまとめて表示意匠部５５とも言う。以上のように構成された本例における表示板５０は、その全周に渡って表示意匠部５５が形成される構成となっている。
【００２２】
指針用発光体６０は、例えば赤色光を発するチップ型発光ダイオードからなり、指針４０の回転中心領域に対応する回路基板１０上に複数個実装され、指針４０を赤色に発光させる発光体である。
【００２３】
発光体７０は、例えば白色光を発する４つのチップ型発光ダイオードからなり、表示板５０の指標部５１を発光させるために用いられる。
【００２４】
ここでの発光体７０は、第１の照明光Ｌ１を発する第１の光源７１と、第２の照明光Ｌ２を発する第２の光源７２と、第３の照明光Ｌ３を発する第３の光源７３と、第４の照明光Ｌ４を発する第４の光源７４とを備えている。
【００２５】
第１、第２の光源７１、７２は、その発光面が導光部材８０の後述する一対の第１の光導入部の下端面とそれぞれ対向するように回路基板１０上に実装され、第３、第４の光源７３、７４は、その発光面が導光部材８０の後述する一対の第２の光導入部の下端面とそれぞれ対向するように回路基板１０上に実装される。
【００２６】
そして、本例の場合、図２に示すように、第１の光源７１は第３の光源７３と並設された状態で回路基板１０上に実装され、また第２の光源７２は第４の光源７４と並設された状態で回路基板１０上に実装されている。
【００２７】
導光部材８０は、例えば無色透明の透光性合成樹脂によって形成され、第１〜第４の照明光Ｌ１〜Ｌ４（つまり第１の照明光Ｌ１と第２の照明光Ｌ２と第３の照明光Ｌ３と第４の照明光Ｌ４）を表示板５０へと導くために用いられる。
【００２８】
この導光部材８０は、回路基板１０と表示板５０との間に位置し、略円環状に形成された本体部８１と、第１、第２の照明光Ｌ１、Ｌ２を導入するための一対の第１の光導入部８２と、第３、第４の照明光Ｌ３、Ｌ４を導入するための一対の第２の光導入部８３とを有している。
【００２９】
本体部８１は、図３に示すように途中で途切れていない無端状の環状本体部を適用することができ、その内側には回転軸２０を貫通させるための比較的開口幅の広い円形の貫通孔部８１ａが開口形成されている。また、この場合、回転計を視認する視認者側から表示板５０を正視したときに、本体部８１は、表示板５０に形成された表示意匠部５５（つまり指標部５１及び単位表示部５４）と重なる位置関係にあることは言うまでもない。
【００３０】
第１の光導入部８２は、本体部８１の所定領域Ｒ１に（第１、第２の光源７１、７２からの）第１、第２の照明光Ｌ１、Ｌ２を導入するように本体部８１の外方（周囲）にはみ出た状態で延在している。
【００３１】
ここで、以下の説明では、一対の第１の光導入部８２のうち、第１の照明光Ｌ１が導入される第１の光導入部８２部分を一方の第１の光導入部１１０とし、第２の照明光Ｌ２が導入される第１の光導入部８２部分を他方の第１の光導入部１２０と定義する。
【００３２】
一方の第１の光導入部１１０は、図３中、本体部８１の左下領域付近に設けられ、図４に示すように本体部８１の板厚と略同一の板厚を有するように本体部８１の周囲に延在している第１導光路１１１と、本体部８１から離れた方向となる第１導光路１１１の外縁部分から回路基板１０側に向けて垂下形成された第１受光部１１２とを有し、この場合、第１導光路１１１は、本体部８１（導光部材８０）を左右に略２等分する仮想中心線Ｃと略平行となるように本体部８１の周囲に延在している。
【００３３】
そして、一方の第１の光導入部１１０における第１導光路１１１の外縁部分の表面には、第１受光部１１２内に導かれた第１の照明光Ｌ１を第１導光路１１１（本体部８１の所定領域Ｒ１のうち仮想中心線Ｃの左側に位置する所定領域Ｒ１箇所）へと反射導光させるための傾斜面形状からなる第１反射部１１３が設けられている。つまり、この場合、第１反射部１１３は、図３に示すように所定領域Ｒ１において、第１照明光Ｌ１を時計方向ＣＷに向けて反射導光させるための反射面からなる。
【００３４】
同様に、他方の第１の光導入部１２０は、図３中、本体部８１の右下領域付近に設けられ、図４に示すように本体部８１の板厚と略同一の板厚を有するように本体部８１の周囲に延在している第２導光路１２１と、本体部８１から離れた方向となる第２導光路１２１の外縁部分から回路基板１０側に向けて垂下形成された第２受光部１２２とを有し、この場合、第２導光路１２１は、仮想中心線Ｃと略平行となるように本体部８１の周囲に延在している。
【００３５】
そして、他方の第１の光導入部１２０における第２導光路１２１の外縁部分の表面には、第２受光部１２２内に導かれた第２の照明光Ｌ２を第２導光路１２１（本体部８１の所定領域Ｒ１のうち仮想中心線Ｃの右側に位置する所定領域Ｒ１箇所）へと反射導光させるための傾斜面形状からなる第２反射部１２３が設けられている。つまり、この場合、第２反射部１２３は、所定領域Ｒ１において、第２照明光Ｌ２を時計方向ＣＷとは反対方向である反時計方向ＣＣＷに向けて反射導光させるための反射面からなる。
【００３６】
一方、第２の光導入部８３は、図３中、所定領域Ｒ１を除いた本体部８１の他の領域Ｒ２に（第３、第４の光源７３、７４からの）第３、第４の照明光Ｌ３、Ｌ４を導入するように本体部８１の外方（周囲）にはみ出た状態で延在している。
【００３７】
ここで、以下の説明では、一対の第２の光導入部８３のうち、第３の照明光Ｌ３が導入される第２の光導入部８３部分を一方の第２の光導入部１３０とし、第４の照明光Ｌ４が導入される第２の光導入部８３部分を他方の第２の光導入部１４０と定義する。
【００３８】
一方の第２の光導入部１３０は、図３中、本体部８１の左下領域付近において、一方の第１の光導入部１１０と並設するように設けられ、図４に示すように本体部８１の板厚と略同一の板厚を有するように本体部８１の周囲に延在している第３導光路１３１と、本体部８１から離れた方向となる第３導光路１３１の外縁部分から回路基板１０側に向けて垂下形成された第３受光部１３２とを有し、この場合、第３導光路１３１は、仮想中心線Ｃと略直交するように本体部８１の周囲に延在している。
【００３９】
そして、一方の第２の光導入部１３０における第３導光路１３１の外縁部分の表面には、第３受光部１３２内に導かれた第３の照明光Ｌ３を第３導光路１３１（本体部８１の他の領域Ｒ２のうち仮想中心線Ｃの左側に位置する他の領域Ｒ２箇所）へと反射導光させるための傾斜面形状からなる第３反射部１３３が設けられている。つまり、この場合、第３反射部１３３は、図３に示すように他の領域Ｒ２において、第３照明光Ｌ３を反時計方向ＣＣＷに向けて反射導光させるための反射面からなる。
【００４０】
同様に、他方の第２の光導入部１４０は、図３中、本体部８１の右下領域付近において、他方の第２の光導入部１２０と並設するように設けられ、図４に示すように本体部８１の板厚と略同一の板厚を有するように本体部８１の周囲に延在している第４導光路１４１と、本体部８１から離れた方向となる第４導光路１４１の外縁部分から回路基板１０側に向けて垂下形成された第４受光部１４２とを有し、この場合、第４導光路１４１は、仮想中心線Ｃと略直交するように本体部８１の周囲に延在している。
【００４１】
そして、他方の第２の光導入部１４０における第４導光路１４１の外縁部分の表面には、第４受光部１４２内に導かれた第４の照明光Ｌ４を第４導光路１４１（本体部８１の他の領域Ｒ２のうち仮想中心線Ｃの右側に位置する他の領域Ｒ２箇所）へと反射導光させるための傾斜面形状からなる第４反射部１４３が設けられている。つまり、この場合、第４反射部１４３は、図３に示すように他の領域Ｒ２において、第４照明光Ｌ４を時計方向ＣＷに向けて反射導光させるための反射面からなる。
【００４２】
また、本例の場合、一方の第１の光導入部１１０と他方の第１の光導入部１２０とは、仮想中心線Ｃ上に位置する本体部８１の中心点Ｐを中心として点対称に配置されるとともに、一方の第２の光導入部１３０と他方の第２の光導入部１４０とは、当該中心点Ｐを中心として点対称に配置される。
【００４３】
なお、ここでは、一方の第１の光導入部１１０は連結部１５０を介して一方の第２の光導入部１３０と部分的に連結され、他方の第１の光導入部１２０は連結部１６０を介して他方の第２の光導入部１４０と部分的に連結されている（図２参照）。このように構成することにより、射出成形によって導光部材８０を形成するにあたって、第１の光導入部１１０、１２０や第２の光導入部１３０、１４０の変形が抑制され、導光部材８０の強度を高めることができるという利点がある。
【００４４】
ケース体９０は、例えば白色系の合成樹脂からなり、表示板５０や本体部８１を保持する保持体としての機能、指針用発光体６０や発光体７０を収納するハウジングとしての機能、指針用発光体６０のから光を前方側に反射させる反射体としての機能を有している。
【００４５】
このような構成において、第１〜第４の光源７１〜７４が発光すると、まず第１の光源７１から発せられる第１の照明光Ｌ１は、第１の光源７１の真上に位置する第１受光部１１２内に採り入れられた後、そのまま真上に進み、第１反射部１１３によって第１導光路１１１側に向けて反射光として反射導光される。この反射光は、第１導光路１１１箇所を起点として時計方向ＣＷに沿い進み、主に仮想中心線Ｃの左側に位置する所定領域Ｒ１箇所を照らす（つまり時計でたとえると主に７時半から１２時までの範囲に対応する所定領域Ｒ１箇所を照らす）。
【００４６】
また、第２の光源７２から発せられる第２の照明光Ｌ２は、第２の光源７２の真上に位置する第２受光部１２２内に採り入れられた後、そのまま真上に進み、第２反射部１２３によって第２導光路１２１側に向けて反射光として反射導光される。この反射光は、第２導光路１２１箇所を起点として反時計方向ＣＣＷに沿い進み、主に仮想中心線Ｃの右側に位置する所定領域Ｒ１箇所を照らす（つまり時計でたとえると主に１２時から４時半までの範囲に対応する所定領域Ｒ１箇所を照らす）。
【００４７】
すなわち、本例においては、第１、第２の照明光Ｌ１、Ｌ２の光の進行方向に着目すると、所定領域Ｒ１において、第１の照明光Ｌ１の光の進む向きは、第２の照明光Ｌ２の光の進む向きと逆方向となっている。
【００４８】
また、第３の光源７３から発せられる第３の照明光Ｌ３は、第３の光源７３の真上に位置する第３受光部１３２内に採り入れられた後、そのまま真上に進み、第３反射部１３３によって第３導光路１３１側に向けて反射光として反射導光される。この反射光は、第３導光路１３１箇所を起点として反時計方向ＣＣＷに沿い進み、主に仮想中心線Ｃの左側に位置する他の領域Ｒ２箇所を照らす（つまり時計でたとえると主に６時から７時半までの範囲に対応する他の領域Ｒ２箇所を照らす）。
【００４９】
また、第４の光源７４から発せられる第４の照明光Ｌ４は、第４の光源７４の真上に位置する第４受光部１４２内に採り入れられた後、そのまま真上に進み、第４反射部１４３によって第４導光路１４１側に向けて反射光として反射導光される。この反射光は、第４導光路１４１箇所を起点として時計方向ＣＷに沿い進み、主に仮想中心線Ｃの右側に位置する他の領域Ｒ２箇所を照らす（つまり時計でたとえると主に４時半から６時での範囲に対応する他の領域Ｒ２箇所を照らす）。
【００５０】
すなわち、本例においては、第３、第４の照明光Ｌ３、Ｌ４の光の進行方向に着目すると、他の領域Ｒ２において、第３の照明光Ｌ３の光の進む向きは、第４の照明光Ｌ４の光の進む向きと逆方向となっている。
【００５１】
このように個々の照明光Ｌ１〜Ｌ４が、途中で途切れていない無端状の本体部８１の４つの照明エリアにそれぞれ積極的に導かれることで（つまり、時計でたとえると第１の照明光Ｌ１が７時半から１２時までの範囲を照らし、第２の照明光Ｌ２が１２時から４時半までの範囲を照らし、第４の照明光Ｌ４が４時半から６時での範囲を照らし、第３の照明光Ｌ３が６時から７時半までの範囲を照らすことで）、第１〜第４の照明光Ｌ１〜Ｌ４を利用して無端状の本体部８１全体（つまり所定領域Ｒ１及び他の領域Ｒ２）を均一に照明（面発光）することが可能となり、照明対象となる表示意匠部５５は、その直下に位置する本体部８１表面から出射される出射光を受けて、均一に発光表示されることになる。
【００５２】
なお、ここでの詳細図示は省略するが、必要に応じて、本体部８１（所定領域Ｒ１及び他の領域Ｒ２）における背面の適宜箇所に、微細凹凸からなるシボ加工（光量調整部）を施して、本体部８１背面にて表示板５０側に反射される光線を散乱するようにしてもよい。このように構成することで、照明対象となる表示意匠部５５の照明ムラを極力抑制することができる。
【００５３】
以上のように、本実施形態では第１〜第４の照明光Ｌ１〜Ｌ４を表示板（被照明部材）５０へと導くための導光部材８０を備え、導光部材８０は、略円環状に形成された本体部８１と、本体部８１の所定領域Ｒ１に第１、第２の照明光Ｌ１、Ｌ２を導入するように本体部８１の外方に延在する一対の第１の光導入部８２と、所定領域Ｒ１を除いた本体部８１の他の領域Ｒ２に第３、第４の照明光Ｌ３、Ｌ４を導入するように本体部８１の外方に延在する一対の第２の光導入部８３とを有し、所定領域Ｒ１において、第１の照明光Ｌ１の光の進む向きは、第２の照明光Ｌ２の光の進む向きと逆方向となっており、他の領域Ｒ２において、第３の照明光Ｌ３の光の進む向きは、第４の照明光Ｌ４の光の進む向きと逆方向となっているものである。
【００５４】
従って、このように個々の照明光Ｌ１〜Ｌ４が、途中で途切れていない無端状の本体部８１の前記４つの照明エリアにそれぞれ積極的に導かれることで（つまり、時計でたとえると第１の照明光Ｌ１が７時半から１２時までの範囲を照らし、第２の照明光Ｌ２が１２時から４時半までの範囲を照らし、第４の照明光Ｌ４が４時半から６時での範囲を照らし、第３の照明光Ｌ３が６時から７時半までの範囲を照らすことで）、第１〜第４の照明光Ｌ１〜Ｌ４を利用して無端状の本体部８１（つまり所定領域Ｒ１及び他の領域Ｒ２）を均一に照明（面発光）することが可能となる。そして、照明対象となる表示意匠部５５は、その直下に位置する本体部８１表面から出射される出射光を受けて、均一に発光表示されるため、導光部材８０を用いて被照明部材である表示板５０を照明するにあたって、表示板５０（表示意匠部５５）を均一に照明することが可能な照明装置を提供することができる。
【００５５】
（第２実施形態）次に、本発明の第２実施形態を図５〜図７に基づいて説明するが、前述の第１実施形態と同一もしくは相当箇所には同一の符号を用いてその詳細な説明は省略する。この第２実施形態では、本体部８１の背後側に配置されるケース体９０を白色の合成樹脂材料ではなく、暗色系の合成樹脂材料によって形成し、さらに本体部８１と暗色のケース体９０との間には略円環状の光拡散シートからなる光拡散部材１７０が位置している構成となっている（図５、図６参照）。
【００５６】
光拡散部材１７０は、視認者側から表示板５０を正視したときに、本体部８１と重なるように本体部８１と暗色のケース体９０との間に位置しており、この場合、光拡散部材１７０とケース体９０とを利用して、一対の第２の光導入部８３から表示板５０へと至る第３、第４の照明光Ｌ３、Ｌ４の光量を調整するための後述する光量調整手段が得られる構成としている。
【００５７】
また、光拡散部材１７０は、図７に示すように、その母材となる薄板円環状の無色透明の基板１７１と、この基板１７１の表面（もしくは背面）に印刷形成される白色の光拡散層１７２とを有し、基板１７１の内側には回転軸２０を貫通させるための比較的開口幅の広い円形の孔部１７３が開口形成されている。また、光拡散層１７２は、本体部８１内に導入される光の反射効率を向上させるために用いられる。
【００５８】
なお、以下の説明では、本体部８１の所定領域Ｒ１に対応する光拡散部材１７０箇所を第１の光拡散部材Ｘ１とし、本体部８１の他の領域Ｒ２に対応する光拡散部材１７０箇所を第２の光拡散部材Ｘ２と定義する。
【００５９】
そして、この場合、他の領域Ｒ２の仮想中心線Ｃ及びその近傍に対応する反射層１７２箇所（つまり時計でたとえると６時の位置の付近）には、当該反射層１７２が部分的に印刷形成されない抜き印刷部としての基板露出部Ｓ１が複数個設けられている。
【００６０】
この基板露出部Ｓ１は、その色調が無色透明の基板１７１を通じてケース体９０の色と同色（つまり暗色）となるように着色され、この着色された暗色の基板露出部Ｓ１が、一対の第２の光導入部８３（つまり各第２の光導入部１３０、１４０）から他の領域Ｒ２を経て表示板５０へと至る第３、第４の照明光Ｌ３、Ｌ４の光量を調整するための光量調整手段として機能している。
【００６１】
このとき、光量調整手段としての基板露出部Ｓ１の所定単位面積当たりの大きさは、第２の光導入部１３０、１４０（第３、第４導光路１３１、１４１）から他の領域Ｒ２における仮想中心線Ｃ（つまり時計でたとえると６時の位置）に向かうに従って粗から密となるように設定されている（図３、図６参照）。
【００６２】
すなわち、この場合、他の領域Ｒ２の仮想中心線Ｃ及びその近傍（つまり時計でたとえると６時の位置の付近）には、第３導光路１３１から反時計方向ＣＣＷに沿い進む第３の照明光Ｌ３と、第４導光路１４１から時計方向ＣＷに沿い進む第４の照明光Ｌ４との双方が導かれる。
【００６３】
この結果、仮想中心線Ｃ及びその近傍に対応する表示意匠部５５部分が、当該部分を除いた他の表示意匠部５５箇所よりも明るく発光することが考えられるが、上述のように暗色の基板露出部Ｓ１の所定単位面積当たりの大きさを第３、第４導光路１３１、１４１から仮想中心線Ｃに向かうに従って粗から密となるように設定することで、他の領域Ｒ２の仮想中心線Ｃ及びその近傍においては、白色の光拡散層１７２の形成エリアが小さくなるのに伴い、暗色の基板露出部Ｓ１の形成エリアが大きくなって表示板５０側へと向かう光の光量が少なくなる。
【００６４】
従って、他の領域Ｒ２の仮想中心線Ｃ及びその近傍に対応する表示意匠部５５部分が、当該部分を除いた他の表示意匠部５５箇所よりも、明るく発光するのを抑制することが可能となり、表示意匠部５５の照明ムラが抑制される。
【００６５】
このように本第２実施形態によれば、一対の第２の光導入部８３から表示板５０へと至る第３、第４の照明光Ｌ３、Ｌ４の光量を調整するための光量調整手段である暗色の基板露出部Ｓ１が光拡散部材１７０と暗色のケース体９０とを利用して得られるようにしたものである。また、基板露出部Ｓ１の所定単位面積当たりの大きさは、第３、第４導光路１３１、１４１から他の領域Ｒ２における仮想中心線Ｃに向かうに従って粗から密となるように設定されている。
【００６６】
このように構成することで、表示板５０の全周に渡って形成される表示意匠部５５を、本体部８１表面から出射される前記出射光を利用して発光表示させるにあたって、他の領域Ｒ２における仮想中心線Ｃ及びその近傍に対応する表示意匠部５５部分が、当該部分を除いた他の表示意匠部５５箇所よりも、明るく発光するのを抑制することが可能となり、表示意匠部５５全体の照明バランスをより均一化することができる。
【００６７】
つまり、表示板５０の全周に渡って形成される表示意匠部５５は、照明ムラの極力抑制された状態となって視認者側から視認されるため、照明バランスの良好な照明装置を提供することができる。
【００６８】
また本第２実施形態では、基板露出部Ｓ１は、その色調が基板１７１を通じて（暗色の）ケース体９０の色と同色（つまり暗色）となるように着色され、この着色された暗色の基板露出部Ｓ１が光量調整手段として機能していることにより、例えば光拡散部材１７０（第２の光拡散部材Ｘ２）における基板１７１の背面に、一対の第２の光導入部８３から他の領域Ｒ２を経て表示板５０へと至る第３、第４の照明光Ｌ３、Ｌ４の光量を調整するための専用の網点状暗色印刷層を別途、設けることが不要となるため、当該網点状暗色印刷層が不要となる分だけ光拡散部材１７０の印刷工数が削減され、コスト上昇を抑制することができるという利点がある。
【００６９】
なお、本第２実施形態では、ケース体９０が暗色系の樹脂材料によって形成されている例について説明したが、例えばケース体９０を黒色系の樹脂材料によって形成してもよい。
【００７０】
また前記各実施形態では、表示意匠部５５が、目盛等の指標部５１や単位表示部５４である場合を例に挙げて説明したが、表示意匠部５５は、指標部５１や単位表示部５４に限らず、あらゆる表示意匠を採用することができ、例えばシートベルトが着用されていないことを視認者に対し注意喚起するためのシートベルト未着用警告マークのごとき警告用の表示意匠を表示意匠部５５として採用してもよい。
【符号の説明】
【００７１】
５０    表示板（被照明部材）
５１    指標部
５４    単位表示部
５５    表示意匠部
７０    発光体
７１    第１の光源
７２    第２の光源
７３    第３の光源
７４    第４の光源
８０    導光部材
８１    本体部
８２    第１の光導入部
８３    第２の光導入部
９０    ケース体
１１０    一方の第１の光導入部
１１１    第１導光路
１１２    第１受光部
１１３    第１反射部
１２０    他方の第１の光導入部
１２１    第２導光路
１２２    第２受光部
１２３    第２反射部
１３０    一方の第２の光導入部
１３１    第３導光路
１３２    第３受光部
１３３    第３反射部
１４０    他方の第２の光導入部
１４１    第４導光路
１４２    第４受光部
１４３    第４反射部
１５０、１６０  連結部
１７０    光拡散部材
１７１    基板
１７２    反射層
Ｃ    仮想中心線
ＣＷ    時計方向
ＣＣＷ    反時計方向
Ｌ１    第１の照明光
Ｌ２    第２の照明光
Ｌ３    第３の照明光
Ｌ４    第４の照明光
Ｐ    中心点
Ｒ１    所定領域
Ｒ２    他の領域
Ｓ１    基板露出部（光量調整手段）
Ｘ１    第１の光拡散部材
Ｘ２    第２の光拡散部材
【図１】
0006528966.tif 000002
【図２】
0006528966.tif 000003
【図３】
0006528966.tif 000004
【図４】
0006528966.tif 000005
【図５】
0006528966.tif 000006
【図６】
0006528966.tif 000007
【図７】
0006528966.tif 000008